(57)【要約】【課題】  RFIを低減できる装置構成とし、RFI対策コストを低減する画像形成装置を提供する。【解決手段】  外部装置からの画像データをレーザ光をon/off変調させるためのビットマップデータに変換するイメージコントローラと、レーザ光を発射する半導体レーザ２２ｃと、半導体レーザ２２ｃの駆動を制御するレーザ駆動部２２ｂと、を同一基板上に配置した。【選択図】  図１ 
2005266405.tif 000002
【特許請求の範囲】
【請求項１】
外部装置からの画像データに基づきレーザ光をon/off変調し、感光体に静電潜像を形成し、電子写真プロセスによりシートに画像を形成する画像形成装置であって、
外部装置からの画像データをレーザ光をon/off変調させるためのビットマップデータに変換するイメージコントローラ部と、レーザ光を発射する半導体レーザと、該半導体レーザの駆動を制御するレーザ駆動回路と、を同一基板上に配置したことを特徴とする画像形成装置。
【発明の詳細な説明】
【技術分野】
【０００１】
本発明は、レーザプリンタ等の電子写真プロセスによる画像形成装置に関し、特に各機能部品の配置構成に関するものである。
【背景技術】
【０００２】
図４に従来のレーザプリンタ等の画像形成装置の各機能部品の配置構成の一例を示す（特許文献１参照）。
【０００３】
図４で１１はプリンタエンジンの制御を司るエンジン駆動回路基板、１２はホストコンピュータ(不図示)から送信される画像データを基に半導体レーザをon/off変調する為のビットマップデータを生成するイメージコントローラ基板、１３は半導体レーザ、レーザ駆動回路、水平同期信号発生回路、ポリゴンモータ、レンズ、折り返しミラー等から構成されるスキャナユニット、１４は感光体ドラム、帯電ローラ、現像器、クリーナ容器等から構成されるプロセスカートリッジ、１５はシートとしての記録紙を給紙搬送する搬送路、１６は搬送路を駆動する駆動手段の駆動源であるモータである。
【０００４】
図４の構成による画像形成装置では、エンジン駆動回路基板１１を搬送路１５の下部に平面配置し、更にその下部にイメージコントローラ基板１２を配置し、スキャナユニット１３を搬送路１５の上部に配置し、搬送路１５とスキャナユニットの間にプロセスカートリッジ１４が配置されている。
【０００５】
図５に画像形成装置の各回路基板の機能ブロック図を示す。エンジン駆動回路基板１１はスイッチング電源回路部１１ａ、紙搬送駆動等を行うモータ駆動回路部１１ｂ、電子写真プロセスに必要な高圧電源回路部１１ｃ、各駆動回路を制御するプロセッサを含むエンジン制御回路部１１ｄから構成される。
【０００６】
イメージコントローラ基板１２はホストコンピュータからの画像データに基づき、半導体レーザをon/off変調するビットマップデータを生成したり、エンジン制御回路との通信を行うものであり、プロセッサ、制御ROM及びビットマップデータを一時格納するRAM等から構成される。
【０００７】
スキャナユニット１３はイメージコントローラ基板１２からのon/offデータに基づき、半導体レーザを駆動する半導体レーザ駆動回路部１３ａ、及び、半導体レーザからのレーザ光を感光ドラム上に水平走査するポリゴンスキャナ１３ｂ、水平同期信号を発生するBDセンサ（不図示）等から構成される。
【特許文献１】特開平０７−３０１９６５号公報
【発明の開示】
【発明が解決しようとする課題】
【０００８】
この従来例では、エンジン駆動回路基板１１及びイメージコントローラ基板１２を搬送路５の下部に平面配置し、スキャナユニット１３を搬送路１５上部に配置していたため、エンジン駆動回路基板１１或いはイメージコントローラ基板１２とスキャナユニット１３との接続は束線或いはFFC等で行われており、距離が離れていることから、その配線は長
いものとなっていた。
【０００９】
特に近年は、画像形成装置の高解像度化が進められ、レーザon/off信号（VDO信号）の
周波数も高周波となり、その結果、放射電界ノイズ（RFI）が大きくなり、問題となって
きた。このRFI対策のため、フェライトコアを束線に使用したり、シールド電線を使用し
ていたが、非常にコストがかかっていた。
【００１０】
また、他の配置構成として、本体側板上にイメージコントローラ基板１２を配置した構成の画像形成装置もあるが、その際も、スキャナユニットとの接続を束線等を用いて行っていたので、前述構成と同様にRFI対策が困難であった。
【００１１】
本発明は上記の従来技術の課題を解決するためになされたもので、その目的とするところは、RFIを低減できる装置構成とし、RFI対策コストを低減する画像形成装置を提供することにある。
【課題を解決するための手段】
【００１２】
上記目的を達成するために本発明にあっては、外部装置からの画像データに基づきレーザ光をon/off変調し、感光体に静電潜像を形成し、電子写真プロセスによりシートに画像を形成する画像形成装置であって、外部装置からの画像データをレーザ光をon/off変調させるためのビットマップデータに変換するイメージコントローラ部と、レーザ光を発射する半導体レーザと、該半導体レーザの駆動を制御するレーザ駆動回路と、を同一基板上に配置したことを特徴とする。
【発明の効果】
【００１３】
本発明によれば、イメージコントローラ部と半導体レーザとレーザ駆動回路とを同一基板上に配置することにより、高周波配線部分を短くしてRFIを低減し、RFI対策コストを低減させることができる。
【発明を実施するための最良の形態】
【００１４】
以下に図面を参照して、この発明の最良な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００１５】
（第１の実施の形態）
図１、図２を参照して、第１の実施の形態について説明する。図１は第１の実施の形態に係るレーザプリンタ等の画像形成装置の各機能部品の配置構成であり、図１（ａ）が正面断面図で図１（ｂ）が側面断面図である。図２は第１の実施の形態に係る画像形成装置の回路基板の機能ブロック図である。
【００１６】
図１、図２において、１はエンジン駆動回路基板であり、スイッチング電源回路部１ａ、定着ヒータ７の駆動を行うヒータ駆動回路部１ｂ、電子写真プロセスに必要な高圧電源回路部１ｃ、モータ６を駆動するモータ駆動回路１ｄ、高圧電源回路制御部、ヒータ駆動制御回路部、レーザスキャナ制御回路部、モータ駆動制御回路部とそれらを制御するプロセッサ１ｅから構成される。
【００１７】
２２はイメージコントローラ及びレーザ基板であり、イメージコントローラ部ではホストコンピュータ(不図示)からの画像データに基づき、半導体レーザをon/off変調するビットマップデータを生成したり、エンジン制御回路との通信を行うものである。
【００１８】
イメージコントローラ及びレーザ基板２２は、プロセッサ２２ａ、制御ROM(不図示)及
びビットマップデータを一時格納するRAM(不図示)等から構成される。イメージコントロ
ーラで作成されたビットマップデータは同一基板上にあるレーザ駆動部２２ｂ（レーザ駆動回路）に送られ、そのデータに従ってレーザ駆動部２２ｂは同一基板上にある半導体レ
ーザ２２ｃをon/off変調駆動する。
【００１９】
３はスキャナユニットであり、半導体レーザ２２ｃからのレーザ光を感光体としての感光ドラム上に水平走査するポリゴンスキャナ３ｂ、水平同期信号を発生するBDセンサ(不
図示)等から構成される。
【００２０】
以上説明した構成によれば、画像形成装置内で周波数の速い信号であるホストコンピュータ→イメージコントローラ、イメージコントローラ→レーザ駆動部２２ｂ、レーザ駆動部２２ｂ→半導体レーザ２２ｃの伝送が同一基板上で構成でき、配線距離を短くすることができる。従って、RFIの低減が可能となり、RFI対策のコストを大幅に削減することができる。
【００２１】
なお、本構成以外にもプロセッサ１ｅをイメージコントローラ及びレーザ基板２２に配置したり、プロセッサ１ｅとプロセッサ２２ａをあわせて一つのプロセッサで構成したり、あるいはエンジン駆動回路基板１を機能ごとに分割したりすることも可能である。
【００２２】
また、スキャナユニット３内に配置された水平同期信号を発生するBDセンサをイメージコントローラ及びレーザ基板２２に配置することも可能である。
【００２３】
（第２の実施の形態）
図３には、第２の実施の形態が示されている。図３は第２の実施の形態に係るレーザプリンタ等の画像形成装置の各機能部品の配置構成であり、図３（ａ）が正面断面図で図３（ｂ）が側面断面図である。第１の実施の形態と同一な構成部分については同一の符号を付して、その説明は省略する。
【００２４】
図３において、２２はイメージコントローラ及びレーザ基板であり、第１の実施の形態とはイメージコントローラ及びレーザ基板２２の面がポリゴンミラー回転方向と平行に配置されていることが異なる。
【００２５】
従来、レーザ基板はレーザ駆動回路と半導体レーザのみで構成されていたため比較的小さく、ポリゴンミラー回転方向と垂直に配置しても装置内部品配置に与える影響は小さかったが、レーザ基板をイメージコントローラと同一基板上に配置すると面積が大きくなり装置内配置に制約を受けることがあり得る。
【００２６】
本実施の形態では、半導体レーザ２２ｃ→ポリゴンスキャナ３ｂ間にミラー２３を設けることにより、出射されたレーザの光軸を９０°曲げ、イメージコントローラ及びレーザ基板２２をポリゴンミラー回転方向と平行に配置する。
【００２７】
このように、イメージコントローラ及びレーザ基板２２をポリゴンミラー回転方向と平行に配置すると、イメージコントローラ及びレーザ基板２２が大きな面積を有していても制約を受けずに配置できる。
【図面の簡単な説明】
【００２８】
【図１】本発明の第１の実施の形態に係る画像形成装置の配置構成図である。
【図２】本発明の第１の実施の形態に係る画像形成装置の回路機能ブロック図である。
【図３】本発明の第２の実施の形態に係る画像形成装置の回路機能ブロック図である。
【図４】従来技術の画像形成装置の配置構成図である。
【図５】従来技術の画像形成装置の回路機能ブロック図である。
【符号の説明】
【００２９】
１  エンジン駆動回路基板
３  スキャナユニット
３ｂ  ポリゴンスキャナ
５  搬送路
６  モータ
７  定着ヒータ
２２  イメージコントローラ及びレーザ基板
２２ａ  プロセッサ
２２ｂ  レーザ駆動部
２２ｃ  半導体レーザ
２３  ミラー
【図１】
2005266405.tif 000003
【図２】
2005266405.tif 000004
【図３】
2005266405.tif 000005
【図４】
2005266405.tif 000006
【図５】
2005266405.tif 000007